(57)【要約】      （修正有）【課題】異なる状況で使用でき、それによって、幼児および成人によるあらゆる偶発的要求に適応できる変形可能な椅子であり、かつ、使用中の信頼性と安全性の広範な保証を提供できる椅子を提供すること。【解決手段】高さ調節手段を備えるシート本体１０に接続可能なベースフレーム２を含み、シート本体１０は、高さ調節可能な可動背もたれ１４が接続された固定背もたれ１３を含み、シート本体１０に取り外し可能に係合し、可動背もたれ１４が不適切な位置にあるとき、シート本体１０への結合を防止するのに適した安全手段を備える枠２０をさらに備える。【選択図】図１
2011224369.tif 000002
【特許請求の範囲】
【請求項１】
高さ調節手段を備えるシート本体（１０）に接続可能なベースフレーム（２）を含み、前記シート本体（１０）は、高さ調節可能な可動背もたれ（１４）が接続された固定背もたれ（１３）を含み、前記シート本体（１０）に取り外し可能に係合し、前記可動背もたれ（１４）が不適切な位置にあるとき、前記シート本体（１０）への結合を防止するのに適した安全手段を備える枠（２０）をさらに備えることを特徴とする幼児用高椅子に変形可能な椅子（１）。
【請求項２】
前記枠（２０）は、子供を収容するための上部リム（２３）を支持する中央部材（２２）に接続する下側係合部（２１）を有することを特徴とする請求項１に記載の椅子。
【請求項３】
前記安全手段は、前記下側係合部（２１）の端部に配置され、スリーブ（２６）に挿入され得る先端（２５）を含み、前記スリーブ（２６）は、前記シート本体（１０）のシート（１１）の下面に取り付けて接続され、且つ、前記下側係合部材（２１）の中に設けた突出ばね（２９）に付勢されたピン（２８）の挿入のための挿入開口（２７）を備えることを特徴とする請求項１または２に記載の椅子。
【請求項４】
前記背もたれ（１２）の前記固定背もたれ（１３）に画定された垂直スロット（３１）を含むみ、前記垂直スロット（３１）は、前記可動背もたれ（１４）によって少なくとも部分的に覆われ得、前記先端（２５）は、前記可動背もたれ（１４）が適切な位置にあるときに、前記垂直スロット（３１）に挿入できることを特徴とする請求項１から３のいずれかに記載の椅子。
【請求項５】
前記シート本体（１０）の高さ調節手段は、前記シートに取り付けて接続したロックプレート（４２）のための旋回可能な突起（４１）を画定する垂直スリーブ（４０）を含み、前記ロックプレート（４２）は、前記ベースフレーム（２）の直立部（３）に対向する面にブレーキ部材（４３）を有することを特徴とする請求項１から４のいずれかに記載の椅子。
【請求項６】
前記垂直スリーブ（４０）の上に、前記ロックプレート（４２）の端部に係合し、前記直立部（３）の上で前記垂直スリーブ（４０）をスライドさせるために、前記ロックプレート（４２）を対応する直立部（３）から離すのに適したカム形状端部（４６）を備えるリリースレバー（４５）を枢支する下側突起（４４）を含むことを特徴とする請求項１から５のいずれかに記載の椅子。
【請求項７】
前記シート（１１）は、外側部（１１ｂ）が伸縮自在に接続された内側部（１１ａ）を有し、前記内側部（１１ａ）は、前記シート（１０）の前記外側部（１１ｂ）と係合した内側管状部材（５４）の中に設けた連動板ばね（５３）によって押し出されるロックピン（５２）を挿入するための位置決め穴（５１）を備える管状案内部材（５０）を有することを特徴とする請求項１から６のいずれかに記載の椅子。
【請求項８】
前記直立部（３）と取り外し可能に係合し、且つ、前記直立部（３）と係合可能なＬ型の屈曲したブラケット（６２）に固定された支持面（６１）を有し、前記直立部（３）に設けた位置決め穴（６４）に挿入され得るロックピン（６３）がさらに設けられたフットレスト（６０）を含み、前記ロックピン（６３）は、前記フットレストを支持する側方横木（６６）の中に設けたＵ型の板ばね（６５）に係合し、且つ、外側からアクセス可能な駆動釦（６７）によって駆動され得ることを特徴とする請求項１から７のいずれかに記載の椅子。
【請求項９】
前記可動背もたれ（１４）は、前記可動背もたれから突出し、前記背もたれの前記固定背もたれによって画定されたリムを備える垂直スロットの中に係合可能な突起（７１）によって、前記背もたれ（１２）の前記固定背もたれ（１３）に接続されていることを特徴とする請求項１から８のいずれかに記載の椅子。
【発明の詳細な説明】
【技術分野】
【０００１】
本発明は、幼児用高椅子に変形可能な椅子に関する。
【背景技術】
【０００２】
公知のように、ユーザが高さ調節でき、使用上の要求に応じて取り外し可能な枠が設けられたいくつかのタイプの幼児用高椅子が市場入手可能である。
【０００３】
従来技術の解決策では、現在、いくつかの接続を行うことについての考慮すべき困難さがある。特に、的確な枠の取り付けを常時達成し、高椅子を形成する全ての部品についていかなる場合にも安全性を有することができない。
【０００４】
本発明の目的は、安全規則の遵守に関係が生じるときに、特に多用途の組み合わせを有する可能性を提供する、幼児用高椅子に変形可能な椅子を提供することによって、上述の問題を解決することである。
【発明の概要】
【発明が解決しようとする課題】
【０００５】
この目的のために、本発明の課題は、特に他用途で、異なる状況で使用でき、それによって、幼児および成人によるあらゆる偶発的要求に適応できる、変形可能な椅子を提供することである。
【０００６】
本発明の他の課題は、その独特な実施の特徴により、使用中の信頼性と安全性の広範な保証を提供できる、変形可能な椅子を提供することである。
【０００７】
本発明の他の課題は、その独特な実施の特徴により、使用中の信頼性と安全性の広範な保証を提供できる、幼児用高椅子に変形可能な椅子を提供することである。
【０００８】
本発明のさらなる課題は、市場入手可能な部材および材料を使用して容易に実施でき、単に経済的観点から見て競争力のある、幼児用高椅子に変形できる椅子を提供することである。
【課題を解決するための手段】
【０００９】
これ以降より明らかにされるこの目的、並びに、これらおよび他の課題は、高さ調節手段を備えるシート本体に接続可能な幼児フレームを含み、前記シート本体は、高さ調節可能な可動背もたれと、可動背もたれが接続された固定背もたれとを含み、前記シート本体に取り外し可能に係合でき、且つ、前記可動背もたれが不適当な位置にあるときに、前記シート本体への接続を防止するのに適した安全手段が設けられた枠とを含む、本発明による幼児用高椅子に変形できる椅子によって達成される。
【図面の簡単な説明】
【００１０】
本発明のさらなる特徴および利点は、好ましいが限定ではない、添付の図面に非限定的例として示した幼児用高椅子に変形可能な椅子の実施形態の説明からより明らかになる。
【図１】枠が取り付けられた椅子の斜視図である。
【図２】シート本体が上昇位置にあり、枠が取り付けられた椅子の斜視図である。
【図３】枠を分解した椅子の下方からの斜視図である。
【図４】枠の取り付けの下方からの斜視図である。
【図５】椅子の正面図である。
【図６】枠の取り付け部分を示す、図５のIV−IV線に沿って取った断面図である。
【図７】シート本体が上昇位置にある椅子を示す正面図である。
【図８】図７のVIII−VIII線に沿って取った断面図である。
【図９】枠の接続の阻害を示す、可動背もたれが不適当な位置にあるシート本体の断面図である。
【図１０】枠の接続の細部の下方からの斜視図である。
【図１１】図５のXI-XI線に沿って取った断面図である。
【図１２】図１１のXII−XII線に沿って取った断面図である。
【図１３】枠を取り付けていない椅子の正面図である。
【図１４】シートを分解したシート本体の斜視図である。
【図１５】図１３のXV−XV線に沿って取った断面図である。
【図１６】シート本体位置の高さ調節を実行するためのシートの位置を示す図である。
【図１７】シート本体位置の高さ調節を実行するためのシートの異なる位置を示す図である。
【図１８】シート本体位置の高さ調節を実行するためのシートの異なる位置を示す図である。
【図１９】シートの底面図である。
【図２０】図１９のXX−XX線に沿って取った断面図である。
【図２１】シートを構成する部材が異なる位置にある、図１９のXX−XX線に沿って取った断面図である。
【図２２】フットレストを取り付けた高椅子の斜視図である。
【図２３】図２２のXXIII−XXIII線に沿って取った断面図である。
【図２４】図２２のXXIV−XXIV線に沿って取った断面図である。
【図２５】フットレストの接続手段の拡大垂直断面図である。
【発明を実施するための形態】
【００１１】
図を参照すると、全体が参照番号１で示された、幼児用高椅子に変形可能な椅子は、一対の直立部３からなるベースフレーム２を含み、直立部３は、細長い支持脚４を備え、中間の横木５で接続されている。
【００１２】
フレームは、その上部に、直立部３に安定して接続してシート本体１０を支持する。
【００１３】
シート本体は、シート１１と、固定背もたれ１３および高さ調節可能な可動背もたれ１４とを有する背もたれ１２とが設けられている。
【００１４】
シート本体１０は、参照番号１６で全体的に示され、以下により詳細に説明される高さ調節手段によって、直立部３に接続されている。
【００１５】
シート１１は、実際には幼児を保持する機能を有する上部リム２３を支持する中央部材２２に接続した下側係合部２１を有する枠２０に取り外し可能に接続され得る。リム２３は、図６に点線で示した天板２４に接続され得る。
【００１６】
枠２０は、可動背もたれが不適当な位置にあるときにシート本外の接続を防止するために、安全手段が設けられている。
【００１７】
安全手段は、スリーブ２６に挿入されるプッシュロッドまたは先端２５を含む。プッシュロッドまたは先端２５は、シート１１の下面に接続され、下側係合部２１内に設けた突出バネ２９により付勢されたピン２８の挿入のための挿入開口２７が設けられている。
【００１８】
細長い部材は、固定背もたれ１３に設けた垂直なスロット３１に挿入される先端２５を有する。スロット３１の上部は、可動背もたれ１４によって覆われたままである。このため、図９に示すように、可動背もたれ１４を適切に上昇させることなく、シート本体１０を備える枠を上昇位置に挿入しようと望んでも、先端２５は、スロット３１に挿入できず、それ故、接続を果たすことができない（図９）。
【００１９】
固定した接続を達成するために、可動背もたれ１４は、図７および８に示すように、可動背もたれ１４が適切な位置にあることによって枠の接続を達成できるよう、上向きに平行移動しなければならない。
【００２０】
シート本体１０の高さ調節を実行するために、ロックプレート４２が枢支され、シート１１の内部１１ａに接続された突起４１を画定する垂直なスリーブ４０によって実現される高さ調節手段が設けられている。
【００２１】
ブレーキ部材４３が、プレート４２の直立部に対向する面の上に配設されている。
【００２２】
スリーブ４０は、カム形状端部４６を備えるリリースレバー４５が枢支された下側突起４４を有する。カム形状端部４６は、垂直部から遠ざけるために、プレート４２の端部を操作する。通常は、垂直部には、シートの重さによってプレート４２が配置され、人の重さまたは着座の存在によってロックされ、それによるロック作用を増大させる。
【００２３】
リリースレバー４５を作動させることにより、プレート４２は遠ざけられ、図１５および１８に示すように、所望の高さ位置を得るためにシート本体１０を自由にスライドさせることを可能にする。
【００２４】
シート１１は、図１４および１９，２０および２１によく示すように、内側部１１ａを有し、内側部１１ａの上には、有効寸法を変化させるためにスライド可能な外側部１１ｂが存在する。
【００２５】
特に、シート１１の内側部１１ａには、ロックピン５２が挿入され得る位置決め穴５１を備える管状案内部材５０が接続されている。ロックピン５２は、シートの外側部１１ｂに係合する内側管状部材５４の中に収容された連動板ばね５３によって押し出される。
【００２６】
これは、スライドによって、座面を延長し、それにより、所望の位置に固定することを達成可能にする。
【００２７】
フレーム２は、Ｌ型の屈曲したブラケット６２に固定された載置面６１を有するフットレスト６０に接続可能である。ブラケット６２は、直立部３に係合し、直立部３に設けられた位置決め穴６４に挿入されるロックピン６３によって固定される。
【００２８】
ロックピン６３は、フットレストを支持する側方横材６６の中に収容され、駆動釦６７によって作動するＵ型の板ばね６５の端部に係合する。駆動釦６７は、ピン６３が穴６４から脱離することを可能にして、所望の高さにフットレストを位置決め可能にし、そして、所望の高さでロックピンを挿入するために開放される。
【００２９】
上記に加え、可動背もたれ１４の高さ位置決めのために、背もたれの固定背もたれ１３に、７０で示された、リムを備える垂直スロットが存在する。垂直スロットの中には、可動背もたれから突出した突起７１が挿入され得る。可動背もたれには、クランプキャップ７２が配置されており、固定背もたれ１３に対して可動背もたれを保持し、それにより、背もたれのスライドのストロークを制限し、誤って可動背もたれが滑り落ちないようにする。
【００３０】
上記説明から、本発明がどのように目的および課題を達成するかを把握でき、特に、幼児用高椅子が、可動背もたれが正しい位置にあるときだけ正しく挿入できる枠を設けるだけで、容易に変形できる椅子から派生して提供され得る。
【００３１】
さらに、説明した解決策は、内側シートに対して外側シートをスライドさせることによって、有用な寸法に大きく延長し、それによって大人でも使用できる椅子を形成するように、座面を容易に変化させられることを提供する。
【００３２】
さらに、非常に素速く簡単な操作で、フットレストを所望の高さに取り付けることを可能にする。
【００３３】
本発明は、思いつく多くの改良および変形を許容でき、それらは全て、添付の特許請求の範囲の技術範囲に入る。
【００３４】
さらに、あらゆる細部は、技術的に均等なもので置き換えられる。
【００３５】
実際に、材料並びに寸法および不確定な形状は、いかなる要求にあわせてもよい。
【図１】
2011224369.tif 000003
【図２】
2011224369.tif 000004
【図３】
2011224369.tif 000005
【図４】
2011224369.tif 000006
【図５】
2011224369.tif 000007
【図６】
2011224369.tif 000008
【図７】
2011224369.tif 000009
【図８】
2011224369.tif 000010
【図９】
2011224369.tif 000011
【図１０】
2011224369.tif 000012
【図１１】
2011224369.tif 000013
【図１２】
2011224369.tif 000014
【図１３】
2011224369.tif 000015
【図１４】
2011224369.tif 000016
【図１５】
2011224369.tif 000017
【図１６】
2011224369.tif 000018
【図１７】
2011224369.tif 000019
【図１８】
2011224369.tif 000020
【図１９】
2011224369.tif 000021
【図２０】
2011224369.tif 000022
【図２１】
2011224369.tif 000023
【図２２】
2011224369.tif 000024
【図２３】
2011224369.tif 000025
【図２４】
2011224369.tif 000026
【図２５】
2011224369.tif 000027
【外国語明細書】
2011224369.tif 000028
2011224369.tif 000029
2011224369.tif 000030
2011224369.tif 000031
2011224369.tif 000032
2011224369.tif 000033
2011224369.tif 000034
2011224369.tif 000035
2011224369.tif 000036
2011224369.tif 000037
2011224369.tif 000038
2011224369.tif 000039
2011224369.tif 000040
2011224369.tif 000041
2011224369.tif 000042
2011224369.tif 000043
2011224369.tif 000044
2011224369.tif 000045
2011224369.tif 000046
2011224369.tif 000047
2011224369.tif 000048
2011224369.tif 000049
2011224369.tif 000050
2011224369.tif 000051
2011224369.tif 000052
2011224369.tif 000053
2011224369.tif 000054
2011224369.tif 000055
2011224369.tif 000056